【手続補正書】
【提出日】平成17年9月29日(2005.9.29)
【手続補正１】
【補正対象書類名】特許請求の範囲
【補正対象項目名】全文
【補正方法】変更
【補正の内容】
【特許請求の範囲】
【請求項１】
パラジウムの存在下で合成を行うことを含んでなる、２−ケト−グロン酸又は２−ケト−グロン酸誘導体から合成されるアスコルビン酸の色の量を減少させる方法。
【請求項２】
パラジウムが着色副生成物の生成を少なくとも一部分減少させる請求項１に記載の方法。
【請求項３】
前記アスコルビン酸が２−ケト−Ｌ−グロン酸又は２−ケト−Ｌ−グロン酸誘導体から合成されるＬ−アスコルビン酸を含む請求項１に記載の方法。
【請求項４】
前記２−ケト−グロン酸誘導体が２−ケト−グロン酸エステルを含む請求項１に記載の方法。
【請求項５】
前記２−ケト−グロン酸が２−ケト−Ｌ−グロン酸を製造する発酵プロセスからの水溶液を含む請求項１に記載の方法。
【請求項６】
前記２−ケト−グロン酸が２−ケト−Ｌ−グロン酸のビスアセトニド又は２−ケト−Ｌ−グロン酸のエステルの加水分解に由来する２−ケト−Ｌ−グロン酸の水溶液を含む請求項１に記載の方法。
【請求項７】
極性溶媒中で前記合成を実施する請求項１に記載の方法。
【請求項８】
水中で前記合成を実施する請求項１に記載の方法。
【請求項９】
アルコール中で前記合成を実施する請求項１に記載の方法。
【請求項１０】
２−ケト−グロン酸誘導体として使用する２−ケト−Ｌ−グロン酸エステルのアルコキシ部分に対応するアルコール中で前記合成を実施する請求項９に記載の方法。
【請求項１１】
粒状支持体上に前記パラジウムを担持させる請求項１に記載の方法。
【請求項１２】
前記支持体が炭素又は硫酸バリウムを含む請求項１1に記載の方法。
【請求項１３】
前記パラジウムが１μｍ〜５ｃｍの粒度範囲の粒子を含む請求項１1に記載の方法。
【請求項１４】
前記パラジウムが２５μｍ〜５ｃｍの粒度範囲の粒子を含む請求項１1に記載の方法。
【請求項１５】
前記パラジウムが１００μｍ〜２．５ｃｍの粒度範囲の粒子を含む請求項１1に記載の方法。
【請求項１６】
前記合成が、パラジウムの存在下において、２−ケト−グロン酸又は２−ケト−グロン酸誘導体を加熱することを含んでなる請求項１に記載の方法。
【請求項１７】
２５〜２５０℃の温度において前記加熱工程を実施する請求項１６に記載の方法。
【請求項１８】
７５〜２００℃の温度において前記加熱工程を実施する請求項１６に記載の方法。
【請求項１９】
前記加熱工程を０．１〜１００ａｔｍの絶対圧力下で実施する請求項１６に記載の方法。
【請求項２０】
前記加熱工程を０．７〜１７ａｔｍの絶対圧力下で実施する請求項１６に記載の方法。
【請求項２１】
２−ケト−Ｌ−グロン酸からのアスコルビン酸の合成が１〜４０重量％の２−ケト−Ｌ−グロン酸又は２−ケト−グロン酸誘導体の水溶液を含む請求項１に記載の方法。
【請求項２２】
前記合成が５〜３０重量％の２−ケト−Ｌ−グロン酸又は２−ケト−グロン酸誘導体の水溶液を含む請求項１に記載の方法。
【請求項２３】
前記合成が８〜２５重量％の２−ケト−Ｌ−グロン酸又は２−ケト−グロン酸誘導体の水溶液を含む請求項１に記載の方法。
【請求項２４】
２−ケト−グロン酸又はその誘導体のアスコルビン酸への転化を部分転化までしか進行させない請求項１に記載の方法。
【請求項２５】
未反応の２−ケト−グロン酸又はその誘導体及びアスコルビン酸生成物を含む反応後溶液を合成から取り出し；
前記反応後溶液中の未反応２−ケト−グロン酸化合物からアスコルビン酸を分離して、アスコルビン酸高含有溶液と未反応２−ケト−グロン酸化合物高含有溶液を生成せしめ；そして
未反応２−ケト−グロン酸化合物を含む溶液を再循還によって反応器に戻す工程を更に含んでなる請求項２４に記載の方法。
【請求項２６】
パラジウムを、出発２−ケト−グロン酸又は２−ケト−グロン酸誘導体のアスコルビン酸への転化を増加させるための第２の触媒と混合する請求項１に記載の方法。
【請求項２７】
合成をプラグフロー反応器中で実施する請求項１に記載の方法。
【請求項２８】
パラジウムの存在下において２−ケト−グロン酸又は２−ケト−グロン酸誘導体から合成されたアスコルビン酸。
【請求項２９】
前記アスコルビン酸が、パラジウムの不存在下において２−ケト−グロン酸又は２−ケト−グロン酸誘導体から合成されたアスコルビン酸に対して、着色が少ない化合物を含む請求項２８に記載のアスコルビン酸。
【請求項３０】
パラジウムが着色副生成物の生成を少なくとも一部分減少させる請求項２８に記載のアスコルビン酸。
【請求項３１】
２−ケト−Ｌ−グロン酸又は２−ケト−Ｌ−グロン酸誘導体から合成されたＬ−アスコルビン酸を更に含む請求項２８に記載のアスコルビン酸。
【請求項３２】
前記２−ケト−グロン酸が２−ケト−Ｌ−グロン酸を製造する発酵プロセスからの水溶液を含む請求項２８に記載のアスコルビン酸。
【請求項３３】
前記２−ケト−グロン酸が２−ケト−Ｌ−グロン酸のビスアセトニド又は２−ケト−Ｌ−グロン酸のエステルの加水分解によって得られた２−ケト−Ｌ−グロン酸の水溶液を含む請求項２８に記載のアスコルビン酸。
【請求項３４】
前記２−ケト−グロン酸誘導体が２−ケト−Ｌ−グロン酸エステルを含む請求項２８に記載のアスコルビン酸。
【請求項３５】
極性溶媒中で前記合成を実施する請求項２８に記載のアスコルビン酸。
【請求項３６】
水中で前記合成を実施する請求項２８に記載のアスコルビン酸。
【請求項３７】
アルコール中で前記合成を実施する請求項２８に記載のアスコルビン酸。
【請求項３８】
２−ケト−グロン酸誘導体として使用する２−ケト−Ｌ−グロン酸エステルのアルコキシ部分に対応するアルコール中で前記合成を実施する請求項３７に記載のアスコルビン酸。
【請求項３９】
前記パラジウムを粒状支持体上に担持させる請求項２８に記載のアスコルビン酸。
【請求項４０】
前記支持体が硫酸バリウム又は炭素を含む請求項３９に記載のアスコルビン酸。
【請求項４１】
前記パラジウムが１μｍ〜５ｃｍの粒度範囲の粒子を含む請求項３９に記載のアスコルビン酸。
【請求項４２】
前記パラジウムが２５μｍ〜５ｃｍの粒度範囲の粒子を含む請求項３９に記載のアスコルビン酸。
【請求項４３】
前記パラジウムが１００μｍ〜２．５ｃｍの粒度範囲の粒子を含む請求項３９に記載のアスコルビン酸。
【請求項４４】
２−ケト−グロン酸又はその誘導体のアスコルビン酸への転化を部分転化までしか進行させない請求項２８に記載のアスコルビン酸。
【請求項４５】
アスコルビン酸生成物を未反応２−ケト−グロン酸又はその誘導体から分離する請求項４４に記載のアスコルビン酸。
【請求項４６】
プラグフロー反応器中で前記合成を実施する請求項２８に記載のアスコルビン酸。
【請求項４７】
パラジウムの存在下で合成を行う反応器を含んでなる、２−ケト−グロン酸又は２−ケト−グロン酸誘導体を出発原料として合成されるアスコルビン酸の着色量を減少させるシステム。
【請求項４８】
固体パラジウムを含む反応器；
反応器中に出発原料を移動させ且つ反応器から合成によるアスコルビン酸生成物を取り出すための手段を提供する、反応器中の少なくとも１つの出入口；
反応器を加熱する手段；及び
反応器中の圧力を制御する手段を更に含んでなる請求項４７に記載のシステム。
【請求項４９】
パラジウムが、反応における着色副生成物の生成を少なくとも一部分減少させる請求項４７に記載のシステム。
【請求項５０】
前記アスコルビン酸が２−ケト−Ｌ−グロン酸又は２−ケト−Ｌ−グロン酸誘導体から合成されたＬ−アスコルビン酸を含む請求項４７に記載のシステム。
【請求項５１】
前記２−ケト−グロン酸誘導体が２−ケト−Ｌ−グロン酸エステルを含む請求項４７に記載のシステム。
【請求項５２】
前記２−ケト−グロン酸が２−ケト−Ｌ−グロン酸を製造する発酵プロセスからの水溶液を含む請求項４７に記載のシステム。
【請求項５３】
前記２−ケト−グロン酸が２−ケト−Ｌ−グロン酸のビスアセトニド又は２−ケト−Ｌ−グロン酸のエステルの加水分解によって得られた２−ケト−Ｌ−グロン酸の水溶液を含む請求項４７に記載のシステム。
【請求項５４】
糖から２−ケト−Ｌ−グロン酸又はその誘導体を生成する発酵装置を更に含む請求項４７に記載のシステム。
【請求項５５】
アスコルビン酸合成に使用する発酵装置から単離された２−ケト−Ｌ−グロン酸を精製する手段を更に含む請求項５４に記載のシステム。
【請求項５６】
アスコルビン酸生成物から未反応２−ケト−グロン酸出発原料を単離する手段を更に含む請求項４７に記載のシステム。
【請求項５７】
アスコルビン酸生成物から未反応２−ケト−グロン酸出発原料を単離する手段が未反応２−ケト−グロン酸出発原料の少なくとも一部を反応器に再循還させる装置を含む請求項５６に記載のシステム。
【請求項５８】
再循還手段が未反応２−ケト−グロン酸出発原料からアスコルビン酸生成物を連続的に分離して、アスコルビン酸高含有溶液及び２−ケト−グロン酸化合物高含有溶液を生成せしめ、前記２−ケト−グロン酸化合物高含有溶液を反応器に再循還させることを含む請求項５７に記載のシステム。
【請求項５９】
極性溶媒中で前記合成を実施する請求項４７に記載のシステム。
【請求項６０】
水中で前記合成を実施する請求項４７に記載のシステム。
【請求項６１】
アルコール中で前記合成を実施する請求項４７に記載のシステム。
【請求項６２】
２−ケト−グロン酸誘導体として使用する２−ケト−Ｌ−グロン酸エステルのアルコキシ部分に対応するアルコール中で前記合成を実施する請求項６１に記載のシステム。
【請求項６３】
前記反応器がプラグフロー反応器を含む請求項４８に記載のシステム。
【請求項６４】
プラグフロー反応器中の空間速度が０．０５〜５００ｈ-1である請求項６３に記載のシステム。
【請求項６５】
プラグフロー反応器中の空間速度が０．１〜１００ｈ-1である請求項６３に記載のシステム。
【請求項６６】
粒状支持体にパラジウムを担持させる請求項４７に記載のシステム。
【請求項６７】
前記支持体が炭素又は硫酸バリウムを含む請求項６６に記載のシステム。
【請求項６８】
前記パラジウムが２５μｍ〜５ｃｍの粒度範囲の粒子を含む請求項６６に記載のシステム。
【請求項６９】
前記パラジウムが１００μｍ〜２．５ｃｍの粒度範囲の粒子を含む請求項６６に記載のシステム。
【請求項７０】
合成の少なくとも一部の間において反応器を２５〜２５０℃の温度に加熱する請求項４８に記載のシステム。
【請求項７１】
合成の少なくとも一部の間において反応器を７５〜２００℃の温度に加熱する請求項４８に記載のシステム。
【請求項７２】
合成の少なくとも一部の間において反応器を０．１〜１００ａｔｍの絶対圧力下に保持する請求項４８に記載のシステム。
【請求項７３】
合成の少なくとも一部の間において反応器を０．７〜１７ａｔｍの絶対圧力下に保持する請求項４８に記載のシステム。